(57)【要約】【課題】給水装置に関し、貯水タンクに給水された水を非常にすばやく冷却し、低温に保温することを図るものである。【解決手段】扉８に貯水タンク１０とパイプ１１を有し、冷蔵庫本体７の庫内側に冷凍室９とその奥の蒸発器１２と蒸発器１２と連結された冷却デバイス１３が前記貯水タンク内の水に直に配設された構成において、蒸発器１２が冷却されるとそれと連結された冷却デバイス１３も冷却され、冷却デバイス１３の周辺の貯水タンク１０の水をすばやく冷却することができるものである。【選択図】図１
2006200783.tif 000002
【特許請求の範囲】
【請求項１】
冷蔵庫の扉の内側に貯水タンクを備え、扉の外側へ冷水を供給する給水器を備えたものにおいて、前記貯水タンクの中に配設され貯水タンク内の水を冷却する冷却デバイスと、扉を閉じたときに前記冷却デバイスと連結される蒸発器とを備えた給水器付冷蔵庫。
【請求項２】
冷却デバイスの材料は金属またはセラミクスからなることを特徴とする請求項１に記載の給水器付冷蔵庫。
【請求項３】
冷却デバイスの形状は棒またはフィンとしたことを特徴とする請求項２に記載の給水器付冷蔵庫。
【請求項４】
貯水タンクが金属またはセラミクスからなることを特徴とする請求項１から３のいずれか一項に記載の給水器付冷蔵庫。
【請求項５】
冷却デバイスと蒸発器との連結が雄雌の結合部材で結合されることを特徴とする請求項１から４のいずれか一項に記載の給水器付冷蔵庫。
【請求項６】
冷却デバイスと蒸発器との連結が軟質部材を挟む結合部材で結合されることを特徴とする請求項１から５のいずれか一項に記載の給水器付冷蔵庫。
【発明の詳細な説明】
【技術分野】
【０００１】
本発明は、冷蔵庫の扉の内側に配設された貯水タンクから扉の外側へ冷水を供給する給水器付冷蔵庫に関するものである。
【背景技術】
【０００２】
従来、直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図７は、従来の冷蔵庫を示す。図において、冷蔵庫は、冷蔵庫本体１とその扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水を需要家が給水する。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気の自然対流で冷却するため、貯水タンクに給水された水をすばやく冷却することができず５〜８時間かかっている、また庫内の温度が４〜５℃であるため、貯水タンクの水を低温（約０℃）に保温できないという課題を有していた。
【０００７】
本発明は従来の課題を解決するもので、本発明の冷蔵庫は貯水タンクに給水された水をすばやく冷却し、低温（約０℃）に保温することができるようにした給水器を備えた冷蔵庫を提供することを目的とする。
【課題を解決するための手段】
【０００８】
上記従来の課題を解決するために、本発明の給水器付冷蔵庫は、冷蔵庫の扉の内側に貯水タンクを備え、扉の外側へ冷水を供給する給水器を備えたものにおいて、前記貯水タンクの中に配設され貯水タンク内の水を冷却する冷却デバイスと、扉を閉じたときに前記冷却デバイスと連結される蒸発器とを備えたものである。
【０００９】
これによって、貯水タンクの水に直接接する冷却デバイスにより、貯水タンク内の水をすばやく冷却し、低温に保温できる。
【発明の効果】
【００１０】
本発明は、給水器付冷蔵庫において、扉を閉じたときに冷却デバイスと連結される蒸発器を備えているため、貯水タンクの水を冷却デバイスにより、貯水タンク内の水をすばやく冷却し低温に保温でき、冷水を供給する給水器の使い勝手が向上する。
【発明を実施するための最良の形態】
【００１１】
請求項１に記載の発明は、冷蔵庫の扉の内側に貯水タンクを備え、扉の外側へ冷水を供給する給水器を備えたものにおいて、前記貯水タンクの中に配設され貯水タンク内の水を冷却する冷却デバイスと、扉を閉じたときに前記冷却デバイスと連結される蒸発器とを備えたものであり、−２０℃程度に冷却されている蒸発器と連結された冷却デバイスを通じて、貯水タンクの水は素早く冷却され、低温に保温することができる。
【００１２】
請求項２に記載の発明は、請求項１に記載の発明において、冷却デバイスの材料は金属またはセラミクスからなるものであり、さらに蒸発器の冷熱が素早く冷却デバイスに伝わり、貯水タンクの水は素早く冷却され、低温に保温することができる。
【００１３】
請求項３に記載の発明は、請求項２に記載の発明において、冷却デバイスの形状は棒またはフィンとしたものであり、冷却デバイスの表面積を自由に変えることができ、貯水タンクの大きさに応じて、水の温度の冷却速度をコントロールできる。
【００１４】
請求項４に記載の発明は、請求項１から３のいずれか一項に記載の発明において、貯水タンクが金属またはセラミクスからなるものであり、冷却デバイスに加え、貯水タンク自らの冷却作用により、さらに素早く冷却することができる。
【００１５】
請求項５に記載の発明は、請求項１から４のいずれか一項に記載の発明において、冷却デバイスと蒸発器との連結が雄雌の結合部材で結合されるものであり、扉開閉動作の影響を吸収し、確実な連結をすることができる。
【００１６】
請求項６に記載した発明は、請求項１から５のいずれか一項に記載の発明において、冷却デバイスと蒸発器との連結が軟質部材を挟む結合部材で結合されるものであり、扉開閉時の連結部の結合の衝撃を和らげることができる。
【００１７】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１８】
（実施の形態１）
図１は、本発明の実施の形態１における給水器装置の断面図である。
【００１９】
図１において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと出すためのパイプ１１とを備えており、貯水タンク１０の内部に片方が挿入され他端を蒸発器１２に連結され、蒸発器１２の冷熱を貯水タンク１０に伝えるための冷却デバイス１３で構成されている。
【００２０】
以上のように構成された冷蔵庫について、以下その動作、作用を説明する。
【００２１】
まず、冷蔵庫本体７の冷却運転が始まると、蒸発器１２が−２０℃程度まで冷却される。この時、蒸発器１２に連結された冷却デバイス１３は、蒸発器１２の温度が伝わり、０℃〜−２０℃程度まで低温に冷却される。冷却された冷却デバイス１３により、貯水タンク１０の冷却デバイス１３に接した水がすばやく冷却され、低温に保温することができる。ちなみに一般的に３０℃の水を貯水タンク１０に入れた場合、本発明の冷却デバイス１３による場合と従来仕様の比較では、水温を０℃までに要する時間を約５倍倍早くできる。
【００２２】
（実施の形態２）
図２は、本発明の実施の形態２における給水器装置の断面図である。
【００２３】
図２において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと出すためのパイプ１１とを備えており、貯水タンク１０の内部に片方が挿入され他端を蒸発器１２に連結された金属製またはセラミクス製の冷却デバイス１３で構成されている。
【００２４】
以上のように構成された冷蔵庫について、以下その動作、作用を説明する。
【００２５】
まず、冷蔵庫本体７の冷却運転が始まると、蒸発器１２が−２０℃程度まで冷却される。この時、蒸発器１２に連結された金属またはセラミクス製の冷却デバイス１６は、蒸発器１２の温度が伝わり、０℃〜−２０℃程度まで低温に冷却される。このとき冷却デバイス１６の先端が冷却される時間は、樹脂材など金属やセラミクスでない冷却デバイス１３の場合に比べて、約５倍早く冷やすことができる。この効果により、一般的に３０℃の水を貯水タンク１０に入れた場合、本発明の冷却デバイス１３による場合と従来仕様の比較では、水温を０℃までに要する時間を１０〜２５倍早くできる。
【００２６】
（実施の形態３）
図３は、本発明の実施の形態３における給水器装置の断面図である。
【００２７】
図３において、扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと出すためのパイプ１１とを備えており、貯水タンク１０の内部に片方が挿入され他端を蒸発器１２に連結された先端が棒や板形状またはフィン形状である冷却デバイス１３で構成されている。
【００２８】
以上のように構成された冷蔵庫について、以下その動作、作用を説明する。
【００２９】
まず、冷蔵庫本体７の冷却運転が始まると、蒸発器１２が−２０℃程度まで冷却される。この時、蒸発器１２に連結された先端が棒や板形状またはフィン形状であるの冷却デバイス１３は、表面積を自由に変えることができるため、貯水タンク１０の大きさに応じて、大きい場合は表面積を増やし、小さい場合は表面積を減らすことで、水の温度の冷却速度をコントロールできる。ちなみに、需要家が３０℃の水を貯水タンク１０に入れて、３０分後に０℃の水を飲みたい場合は、フィン形状の冷却デバイス１３を採用することで、冷却能力の向上を図ることが出来る。
【００３０】
（実施の形態４）
図４は、本発明の実施の形態４における給水器装置の断面図である。
【００３１】
図４において、扉８を備えた冷蔵庫本体７の庫内側上部に、内側に冷凍室９を形成する蒸発器１２が配置されており、蒸発器１２と相対する扉８の庫内側に金属やセラミクス製の貯水タンク１０が配置されており、前記貯水タンク１０に貯水された水を冷蔵庫本体７の扉８の外部へと出すためのパイプ１１と備えた構成である。
【００３２】
以上のように構成された冷蔵庫について、以下その動作、作用を説明する。
【００３３】
まず、冷蔵庫本体７の冷却運転が始まると、蒸発器１２が−２０℃程度まで冷却される。この時、蒸発器１２に連結された冷却デバイス１３は、貯水タンク１０の水を冷やすが、これと平行して、金属やセラミクス製の貯水タンク１０は、４〜５℃の庫内の温度までの冷却に対して、貯水タンク１０を通じて水を冷却することができるため、より素早く冷却することができる。冷却デバイス１３を用いた冷却速さが、貯水タンク１０の熱伝導により冷却速さの比べて大きいが、需要家が見た場合の冷たいと感じる印象も効果として大きい。
【００３４】
（実施の形態５）
図５は、本発明の実施の形態４における給水器装置の断面図である。
【００３５】
扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと出すためのパイプ１１とを備えており、貯水タンク１０の内部に片方が挿入され他端を蒸発器１２に雄雌の連結部１４で連結された冷却デバイス１３で構成されている。
【００３６】
以上のように構成された冷蔵庫について、以下その動作、作用を説明する。
【００３７】
まず、冷蔵庫本体７の冷却運転が始まると、蒸発器１２が−２０℃程度まで冷却される。この時、蒸発器１２が冷やされたあと、連結部１４を通じて冷却デバイス１３が冷却され、冷却デバイス１３は、貯水タンク１０の水を冷やす。需要家がこのとき、食品を取り出す時、扉８が開けられるが、冷却デバイス１３は、雄雌の結合部材１５で結合した連結部１４で連結されているためこのとき連結部１４が外れて、扉８が開く。また需要家が扉８を閉めると、前記雄雌の連結部１４が結合して、ふたたび蒸発器１２の熱が伝わる。雄雌の結合部材１５で結合した連結部１４は、板状や棒状のいずれでも良い。
【００３８】
（実施の形態６）
図６は、本発明の実施の形態４における給水器装置の断面図である。
【００３９】
扉８を備えた冷蔵庫本体７の庫内側上部に、内側に冷凍室９を形成する蒸発器１２が配置されており、蒸発器１２と相対する扉８の庫内側に貯水タンク１０が配置されており、貯水タンク１０に貯水された水を冷蔵庫本体７の扉８の外部へと出すためのパイプ１１とを備えており、貯水タンク１０の内部に片方が挿入され他端を蒸発器１２に軟質部材１６を挟んで連結部１４で連結された冷却デバイス１３で構成されている。前記連結時は、軟質部材１６はそのクッション性を活かして約数％圧縮傾向で押し付けられている。
【００４０】
以上のように構成された冷蔵庫について、以下その動作、作用を説明する。
【００４１】
まず、冷蔵庫本体７の冷却運転が始まると、蒸発器１２が−２０℃程度まで冷却される。この時、蒸発器１２が冷やされたあと、軟質部材１６を挟んで連結部１４を通じて冷却デバイス１３が冷却され、冷却デバイス１３は、貯水タンク１０の水を冷やす。需要家がこのとき、食品を取り出す時、扉８が開けられるが、冷却デバイス１３は、軟質部材１６を挟んで連結部１４で連結されているため、このとき連結部１４が外れて、扉８が開く。また需要家が扉８を閉めると、前記軟質部材１６を挟んで連結部１４が結合して、ふたたび蒸発器１２の冷熱が伝わり、貯水タンク１０をすばやく冷却することが出来る。
【産業上の利用可能性】
【００４２】
以上のように本発明にかかる給水器付冷蔵庫は、貯水タンクの水を冷却デバイスにより、貯水タンク内の水をすばやく冷却し低温に保温できるので、給水機構を備えた冷却機器に広く適用できる。
【図面の簡単な説明】
【００４３】
【図１】本発明の実施の形態１における冷蔵庫の断面図
【図２】本発明の実施の形態２における冷蔵庫の断面図
【図３】本発明の実施の形態３における冷蔵庫の断面図
【図４】本発明の実施の形態４における冷蔵庫の断面図
【図５】本発明の実施の形態５における冷蔵庫の断面図
【図６】本発明の実施の形態６における冷蔵庫の断面図
【図７】従来の冷蔵庫の断面図
【符号の説明】
【００４４】
７    冷蔵庫本体
８    扉
９    冷凍室
１０    貯水タンク
１１    パイプ
１２    蒸発器
１３    冷却デバイス
１４    連結部
１５    雄雌の結合部材
１６    軟質部材
【図１】
2006200783.tif 000003
【図２】
2006200783.tif 000004
【図３】
2006200783.tif 000005
【図４】
2006200783.tif 000006
【図５】
2006200783.tif 000007
【図６】
2006200783.tif 000008
【図７】
2006200783.tif 000009